【手続補正書】
【提出日】平成18年9月1日(2006.9.1)
【手続補正１】
【補正対象書類名】明細書
【補正対象項目名】特許請求の範囲
【補正方法】変更
【補正の内容】
【特許請求の範囲】
【請求項１】  物品を運ぶための巻きつけ式物品用カートンにおいて、
ａ．該カートンは上部仕切り板と、両横仕切り板と、底部仕切り板とを備え、
ｂ．底部仕切り板が内側と外側との仕切り板フラップを有し、各仕切り板フラップが側部を有し、外側の仕切り板フラップの一部が内側の仕切り板フラップの一部と重なり、
ｃ．内側の仕切り板フラップが長さのある少なくとも１つの傾斜ロックの縁部を有し、ロックの縁部が一方の側部に向って傾斜し、かつ内側の仕切り板フラップに切り込まれた開口により形成され、
ｄ．外側の仕切り板フラップが、外側仕切り板フラップに切り込まれたスリットにより形成される、各傾斜ロックの縁部に対する少なくとも１つの一次ロックを有し、一次ロックが傾斜ロックの縁部より短い長さを持ち、
e．少なくとも１つの一次ロックが、傾斜ロックの縁部の長さに沿って該縁部を貫通しカートンに達してカートンをロックすることを特徴とする巻きつけ式の物品用カートン。
【請求項２】  請求項１に記載のカートンにおいて、内側仕切り板フラップの各傾斜ロックの縁部は一次雌ロックタブ開口の端部を形成することを特徴とするカートン。
【請求項３】  請求項１に記載のカートンにおいて、外側仕切り板フラップは異なるサイズの２つの一次ロックからなる少なくとも１組を備え、各組の一次ロックの少なくとも１つがカートンを固定するように、２つの一次ロックの結合した長さは傾斜ロックの縁部の長さより短いことを特徴とするカートン。
【請求項４】  請求項３に記載のカートンにおいて、一次ロックは傾斜ロックの縁部の長さの距離に沿って傾斜ロックの縁部を貫通しカートンに達することを特徴とするカートン。
【請求項５】  請求項１に記載のカートンにおいて、各物品はかかと部を有し、カートンはさらにかかと部保持組立体を備えて物品のかかと部を保持することを特徴とするカートン。
【請求項６】  請求項５に記載のカートンにおいて、各かかと部保持組立体は、
ａ．カートンの横仕切り板に折り込み線により付けられた一組のかかと部の扉と、
ｂ．各組のかかと部の扉の頂部に作られた正確な切り込み線とを備えることを特徴とするカートン。
【請求項７】  ３つの離間した傾斜ロックの縁部と、これに対応した３つの離間した一次ロックと、各仕切り板フラップにおける３つのかかと部保持組立体とを有することを特徴とする請求項５に記載のカートン。
【請求項８】  物品を運ぶための巻きつけ式物品用カートンにおいて、
ａ．該カートンは上部仕切り板と、両横仕切り板と、底部仕切り板とを備え、
ｂ．底部仕切り板が内側と外側の仕切り板フラップを有し、各仕切り板フラップが端縁部と側部とを有し、外側仕切り板フラップの一部が内側仕切り板フラップの一部と重なり、
ｃ．内側仕切り板フラップが長さを持つ少なくとも１つの傾斜ロックの縁部を有し、傾斜ロックの縁部が一方の側部に向って傾斜し、かつ一次雌ロックタブ開口の端部を形成し、内側仕切り板がさらに内側仕切り板フラップの端縁部から離間する折り込み線により連結される少なくとも１つの二次雄ロックを有し、二次雄ロックがロックタブ開口の差し渡し距離に等しい長さを伸長させ、
ｄ．外側仕切り板フラップが、外側仕切り板フラップに切り込まれたスリットによりできる、各傾斜ロックの縁部に対する少なくとも１つの一次ロックを有し、一次ロックの結合した長さが対応するロックの縁部の長さより短く、外側仕切り板がさらに外側仕切り板の端縁部から離間した二次雌ロックの開口を有し、該ロック開口の１縁部が、二次雌ロックの開口と外側仕切り板フラップの端縁部との間にある折り込み線に沿って外側仕切り板フラップに連結される保持フラップの縁部から構成され、
e．各一次ロックが、傾斜ロックの縁部の長さに沿って傾斜ロックの縁部を貫通しカートンに達してカートンを固定し、
ｆ．各二次雄ロックの一部が外側仕切り板フラップの一端部と重なり、二次雄ロックの別の部分が外側仕切り板フラップの二次雌ロックの開口を通って伸長しカートンをロックすることを特徴とするカートン。
【請求項９】  請求項８に記載のカートンにおいて、各二次雄ロックは、雄ロックを分割しかつ二次雄ロックの基部と外方部分とを規定する中間折り込み線を含み、各二次雄ロックの基部は外側仕切り板フラップの端部と重なり、二次雄ロックの外方部分は外側仕切り板フラップの二次雌ロックの開口を通って伸長することを特徴とするカートン。
【請求項１０】  請求項９に記載のカートンにおいて、外側仕切り板フラップ（ｄ）は異なるサイズの２つの一次ロックからなる少なくとも１組を備え、各組の一次ロックの少なくとも１つがカートンを固定するように、２つの一次ロックの結合した長さは対応する傾斜ロックの縁部の長さより短いことを特徴とするカートン。
【請求項１１】  請求項８に記載のカートンにおいて、異なるサイズの２つの一次ロックをそれぞれ有する３組の一次ロックと、対応する組の３つの一次傾斜ロックの縁部と、３つの二次雄ロックと、３つの対応する二次雌ロック開口とが設けられることを特徴とするカートン。
【請求項１２】  物品用カートンの仕切り板において、
ａ．該仕切り板は内側と外側の仕切り板フラップを備え、各仕切り板フラップが端縁部と側部とを有し、外側仕切り板フラップの一部が内側仕切り板フラップの一部と重なり、
ｂ．内側仕切り板フラップが長さを持つ少なくとも１つの傾斜ロックの縁部を有し、傾斜ロックの縁部が一方の側部に向けて傾斜し、かつ一次雌ロックタブ開口の端部を形成し、内側仕切り板フラップがさらに内側仕切り板の端縁部から離間する折り込み線により連結される少なくとも１つの二次雄ロックを有し、二次雄ロックがロックタブ開口の差し渡し距離に等しい長さを伸長させ、
ｃ．外側仕切り板フラップが、外側仕切り板フラップに切り込まれたスリットによりできる、各傾斜ロックの縁部に対する少なくとも１つの一次ロックを有し、一次ロックの結合した長さが対応するロックの縁部の長さより短く、外側仕切り板がさらに外側仕切り板フラップの端縁部から離間した二次雌ロックの開口を有し、該ロック開口の１縁部が、二次雌ロックの開口と外側仕切り板フラップの端縁部との間にある折り込み線に沿って外側仕切り板フラップに連結される保持フラップの縁部から構成され、
ｄ．各一次ロックが傾斜ロックの縁部の長さに沿って該ロック縁部を貫通しカートンに達して、カートンを固定し、
e．各二次雄ロックの一部が外側仕切り板フラップの端部と重なり、二次雄ロックの別の部分が外側仕切り板フラップの二次雌ロックの開口を通って伸長しカートンをロックすることを特徴とする仕切り板。
【請求項１３】  請求項１２に記載の仕切り板において、各二次雄ロックは、雄ロックを分割しかつ二次雄ロックの基部と外方部分とを規定する中間折り込み線を含み、各二次雄ロックの基部は外側仕切りフラップの端部と重なり、二次雄ロックの外方部分は外側仕切り板フラップの二次雌ロックの開口を通って伸長することを特徴とする仕切り板。
【請求項１４】  請求項１３に記載の仕切り板において、外側仕切り板フラップ（ｃ）は異なるサイズの２つの一次ロックからなる少なくとも１組を備え、各組の一次ロックの少なくとも１つがカートンを固定するように、２つの一次ロックの結合した長さは対応する傾斜ロックの縁部の長さより短いことを特徴とする仕切り板。
【請求項１５】  請求項１２に記載の仕切り板において、異なるサイズの２つの一次ロックをそれぞれ有する３組の一次ロックと、対応する組の３つの一次傾斜ロックの縁部と、３つの二次雄ロックと、３つの対応する二次雌ロック開口とが設けられることを特徴とするカートン。
【請求項１６】  端部と側部とを有したほぼ矩形シートを含む、巻きつけ式カートンを形成するブランクにおいて、前記シートが、
ａ．シートの一端部にある内側仕切り板フラップであって、該フラップがシートの１側部に向って傾斜する少なくとも１つの、長さを持つ傾斜ロックの縁部を有し、傾斜ロックの縁部が一次雌ロックタブ開口の端部を形成し、内側仕切り板フラップがさらに内側仕切り板フラップの端縁部から離間した折り込み線により連結される少なくとも１つの二次雄ロックを有し、二次雄ロックがロックタブ開口を横切って伸長する内側仕切り板フラップと、
ｂ．横仕切り板と、上部仕切り板と、反対側の横仕切り板であって、この順番で内側仕切り板フラップに折り込み可能に連結される横仕切り板と、上部仕切り板と、反対側の横仕切り板と、
ｃ．折り込み可能に連結される、シートの他端にある外側仕切り板フラップであって、該フラップが該フラップの開口により形成される、各傾斜ロックの縁部に対する少なくとも１つの一次ロックを有し、一次ロックの結合した長さが対応するロックの縁部の長さより短く、外側仕切り板フラップがさらに該フラップの端縁部から離間する二次雌ロックの開口を有し、該ロック開口の１縁部が該開口と該フラップの端縁部との間にある折り込み線に沿って該フラップに連結される保持フラップの端部から構成される外側仕切り板フラップとを備えることを特徴とするブランク。
【請求項１７】  請求項１６に記載のブランクにおいて、外側仕切り板フラップは異なるサイズの２つの一次ロックからなる少なくとも一組を備え、２つの一次ロックの結合した長さは傾斜ロックの縁部の長さより短いことを特徴とするブランク。
【請求項１８】  請求項１６に記載のブランクにおいて、異なるサイズの２つの一次ロックをそれぞれ有する３組の一次ロックと、対応する組の３つの一次傾斜ロックの縁部と、３つの二次雄ロックと、３つの対応する二次雌ロック開口とが設けられることを特徴とするカートン。
【請求項１９】  請求項１８に記載のブランクにおいて、該ブランクはかかと部保持組立体を有して各物品のかかと部を保持することを特徴とするブランク。